(57)【要約】【課題】電子書籍の貸し出し等を管理すると共に、貸し出す電子書籍に他の利用者の書き込み情報を付加してその内容を共有し、その編集を可能とすることで、電子書籍の価値向上と、より良いコンテンツへの発展を可能にする図書館向け電子書籍管理および情報共有システムを提供する。【解決手段】データベースを備えたホストシステム及び閲覧・入力システムと、貸し出し装置と、貸し出し端末とを備え、ホストシステムは、貸し出し情報を閲覧・入力システムへ送信するための貸し出し処理部と、書籍返却要求のあった書籍に対して返却処理を行う返却処理部とを有し、閲覧・入力システムは、書き込み要求のあった書籍に対して編集権限があるか否かを判断し、編集権限がある場合、編集可能モードで貸し出し端末に表示する書き込み処理部と、書籍又は書き込みの評価要求があった情報に対して、対応するデータベースに登録するための処理を行う評価処理部とを備える。【選択図】図１
2013092824.tif 000002
【特許請求の範囲】
【請求項１】
データベースを備えたホストシステムと、データベースを備えた閲覧・入力システムと、貸し出し装置と、貸し出し端末とを備えた図書館向け電子書籍管理および情報共有システムであって、
前記ホストシステムは、
書籍情報を予め登録するための第１の書籍データベースと、
書き込み情報を登録するための第１の書き込みデータベースと、
書籍評価情報を登録するための第１の書籍評価データベースと、
書き込み評価情報を登録するための第１の書き込み評価データベースと、
前記貸し出し装置からの書籍貸し出し要求のあった書籍に対して、
前記書籍情報に基づいて前記第１の書籍データベースと、前記第１の書き込みデータベースと、前記第１の書籍評価データベースと、前記第１の書き込み評価データベースとを参照して対応する情報を取得する処理と、
前記取得した情報と貸し出し日時と返却日時とを、貸し出しＩＤと対応付けて貸し出し情報として第１の貸し出しデータベースに登録するための処理と、
前記取得した情報と前記貸し出し情報とを前記貸し出し端末へ通信部を介して送信するための処理と、
さらに、前記取得した情報と前記貸し出し情報とを前記閲覧・入力システムへ通信部を介して送信するための処理とを行う貸し出し処理部と、
前記貸し出し装置から書籍返却要求のあった書籍に対して、
前記貸し出し端末から前記通信部を介して対応する情報を受信するための処理と、
前記受信した情報に基づいて、対応する前記第１の書籍データベースと、前記第１の書き込みデータベースと、前記第１の書籍評価データベースと、前記第１の書き込み評価データベースと、前記第１の貸し出しデータベースとを更新するための処理とを行う返却処理部とを備えることを特徴とする図書館向け電子書籍管理および情報共有システム。
【請求項２】
前記閲覧・入力システムは、
前記書籍情報を登録するための第２の書籍データベースと、
前記書き込み情報を登録するための第２の書き込みデータベースと、
前記貸し出し情報を登録するための第２の貸し出しデータベースと、
前記貸し出し端末からの書き込み要求のあった書籍に対して、
前記第２の書籍データベースと、前記第２の書き込みデータベースとを参照して対応する前記書籍情報と前記書き込み情報とを取得する処理と、
さらに、前記書籍情報と前記書き込み情報とに基づいて前記第２の貸し出しデータベースを参照し、編集権限があるか否かを判断する処理と、
前記判断の結果、編集権限がある場合、
前記書籍情報と前記書き込み情報とを、画面表示手段を有する表示処理部を介して、前記書き込み情報に対する編集を行う操作入力を許可する編集可能モードで貸し出し端末に表示する処理とを行う書き込み処理部と、
前記貸し出し端末からの書き込みの評価要求があった前記書き込み情報に対し、少なくとも前記書き込み情報に含まれる書き込みＩＤと書き込みの評価内容とを、書き込み評価ＩＤに対応付けて書き込み評価情報として第２の書き込み評価データベースに登録するための処理と
前記貸し出し端末からの書籍の評価要求があった前記書籍情報に対し、少なくとも前記書籍情報に含まれる書籍ＩＤと書籍評価内容とを、書籍評価ＩＤと対応付けて書籍評価情報として第２の書籍評価データベースに登録するための処理とを行う評価処理部とを備えた請求項１に記載の図書館向け電子書籍管理および情報共有システム。
【請求項３】
前記ホストシステムと、前記閲覧・入力システムとは、それぞれのシステムが備える通信部を介して通信可能に接続されており、少なくとも前記貸し出し処理部と前記返却処理部との何れかの処理部で処理が実行された場合、前記書き込み情報及び前記書き込み評価情報を双方のシステムで共有するためにデータの通信が行われることを特徴とする請求項２に記載の図書館向け電子書籍管理および情報共有システム。
【発明の詳細な説明】
【技術分野】
【０００１】
本発明は、図書館における電子書籍の貸し出し等を管理すると共に、複数人が電子書籍に書き込み、その内容を共有することにより、電子書籍の価値向上やコミュニケーションを可能にする図書館向け電子書籍管理および情報共有システムに関するものである。
【背景技術】
【０００２】
近年、書籍の電子化がすすんでおり、電子化された書籍である電子書籍を利用したサービスが提供されている。公共図書館等では、こうした電子書籍を利用者に貸し出すサービスが始まっている。電子書籍を利用者に貸し出すサービスを提供している図書館等では、通信ネットワークを介してインターネット等のサイトからサービスを提供しており、利用者に自宅に居ながらにして電子書籍を借りることを可能としている。また、電子化により情報の付加や共有が容易になったことから、利用者による書込みを可能にし、さらに、その共有を行うサービスも存在する。本発明に関連する公知技術文献としては下記の特許文献１があげられる。
【先行技術文献】
【特許文献】
【０００３】
【特許文献１】特開２００５−２５４３８号公報
【発明の開示】
【発明が解決しようとする課題】
【０００４】
しかし、従来技術により、現在公共図書館等で提供されているサービスでは、扱うのは原本の情報のみである。そのため、電子書籍自体の情報に変化は無く、電子書籍がより良いコンテンツとして発展していくことはないという問題がある。また、利用者同士の交流支援も行われていないという問題がある。さらに、一般的に通信ネットワークを介してインターネット等により提供されている電子書籍への書き込みの共有を可能にするサービス等では、他人が入力した情報に手を加えることはできない。そのため、電子書籍の付加価値となる書き込み内容を精査、発展させにくいという問題がある。
【０００５】
そこで、本発明の目的は、図書館における電子書籍の貸し出し等を管理すると共に、貸し出す電子書籍に他の利用者の書き込み情報を付加して書き込み内容を共有し、さらに、書き込み内容の編集を可能とすることで、電子書籍の価値向上を図り、電子書籍をより良いコンテンツとして発展させることを可能にする図書館向け電子書籍管理および情報共有システムを提供することにある。
【課題を解決するための手段】
【０００６】
上記目的を達成するため、本発明の図書館向け電子書籍管理および情報共有システムは、以下の構成を提供する。
データベースを備えたホストシステムと、データベースを備えた閲覧・入力システムと、貸し出し装置と、貸し出し端末とを備えた図書館向け電子書籍管理および情報共有システムであって、前記ホストシステムは、書籍情報を予め登録するための第１の書籍データベースと、書き込み情報を登録するための第１の書き込みデータベースと、書籍評価情報を登録するための第１の書籍評価データベースと、書き込み評価情報を登録するための第１の書き込み評価データベースと、前記貸し出し装置からの書籍貸し出し要求のあった書籍に対して、前記書籍情報に基づいて前記第１の書籍データベースと、前記第１の書き込みデータベースと、前記第１の書籍評価データベースと、前記第１の書き込み評価データベースとを参照して対応する情報を取得する処理と、前記取得した情報と貸し出し日時と返却日時とを、貸し出しＩＤと対応付けて貸し出し情報として第１の貸し出しデータベースに登録するための処理と、前記取得した情報と前記貸し出し情報とを前記貸し出し端末へ通信部を介して送信するための処理と、さらに、前記取得した情報と前記貸し出し情報とを前記閲覧・入力システムへ通信部を介して送信するための処理とを行う貸し出し処理部と、前記貸し出し装置から書籍返却要求のあった書籍に対して、前記貸し出し端末から前記通信部を介して対応する情報を受信するための処理と、前記受信した情報に基づいて、対応する前記第１の書籍データベースと、前記第１の書き込みデータベースと、前記第１の書籍評価データベースと、前記第１の書き込み評価データベースと、前記第１の貸し出しデータベースとを更新するための処理とを行う返却処理部とを備えることを特徴とする。
【０００７】
さらに、本発明の図書館向け電子書籍管理および情報共有システムは、前記閲覧・入力システムは、前記書籍情報を登録するための第２の書籍データベースと、前記書き込み情報を登録するための第２の書き込みデータベースと、前記貸し出し情報を登録するための第２の貸し出しデータベースと、前記貸し出し端末からの書き込み要求のあった書籍に対して、前記第２の書籍データベースと、前記第２の書き込みデータベースとを参照して対応する前記書籍情報と前記書き込み情報とを取得する処理と、さらに、前記書籍情報と前記書き込み情報とに基づいて前記第２の貸し出しデータベースを参照し、編集権限があるか否かを判断する処理と、前記判断の結果、編集権限がある場合、前記書籍情報と前記書き込み情報とを、画面表示手段を有する表示処理部を介して、前記書き込み情報に対する編集を行う操作入力を許可する編集可能モードで貸し出し端末に表示する処理とを行う書き込み処理部と、前記貸し出し端末からの書き込みの評価要求があった前記書き込み情報に対し、少なくとも前記書き込み情報に含まれる書き込みＩＤと書き込みの評価内容とを、書き込み評価ＩＤに対応付けて書き込み評価情報として第２の書き込み評価データベースに登録するための処理と前記貸し出し端末からの書籍の評価要求があった前記書籍情報に対し、少なくとも前記書籍情報に含まれる書籍ＩＤと書籍評価内容とを、書籍評価ＩＤと対応付けて書籍評価情報として第２の書籍評価データベースに登録するための処理とを行う評価処理部とを備えることを特徴とする。
【０００８】
また、本発明の図書館向け電子書籍管理および情報共有システムは、前記ホストシステムと、前記閲覧・入力システムとは、それぞれのシステムが備える通信部を介して通信可能に接続されており、少なくとも前記貸し出し処理部と前記返却処理部との何れかの処理部で処理が実行された場合、前記書き込み情報及び前記書き込み評価情報を双方のシステムで共有するためにデータの通信が行われることを特徴とする。
【発明の効果】
【０００９】
本発明の図書館向け電子書籍管理および情報共有システムによれば、次のような効果がある。
（１）電子書籍に他の利用者の書き込み情報を付加し、利用者が電子書籍を借りる際にはこの情報も共に貸し出され、書き込み内容は誰にでも編集可能とすることで、利用者が電子書籍の重要な点のピックアップや注釈等の他の利用者にも役立つ情報、挿絵等の読者を楽しませる要素を追加することを可能とする。そして、これらの情報を精査し発展させることで、書籍の価値を継続的に向上が期待でき、全利用者が一つの電子書籍を、一つの作品として高めることを可能とする。
（２）また、書き込み情報や電子書籍の評価等を行うことを可能とすることで、編集意欲の向上が図られることが期待できる。
（３）さらに、利用者同士の電子書籍に対する感想の共有により他の利用者とのコミュニケーションを可能にし、読書の振興を図ることが期待できる。
【図面の簡単な説明】
【００１０】
【図１】本発明の図書館向け電子書籍管理および情報共有システムの一実施の形態の概略を示すシステム構成図である。
【図２】本発明の図書館向け電子書籍及び自由記述内容共有システムの一実施の形態の装置構成図である。
【図３】図１に示す図書館向け電子書籍管理および情報共有システムの第１の書籍データベース及び第２の書籍データベースに記憶されるデータ構造の概略を示す図である。
【図４】図１に示す図書館向け電子書籍管理および情報共有システムの第１の書き込みデータベース及び第２の書き込みデータベースに記憶されるデータ構造の概略を示す図である。
【図５】図１に示す図書館向け電子書籍管理および情報共有システムの第１の貸し出しデータベース及び第２の貸し出しデータベースに記憶されるデータ構造の概略を示す図である。
【図６】図１に示す図書館向け電子書籍管理および情報共有システムのユーザデータベースに記憶されるデータ構造の概略を示す図である。
【図７】図１に示す図書館向け電子書籍管理および情報共有システムの第１の書籍評価データベース及び第２の書籍評価データベースに記憶されるデータ構造の概略を示す図である。
【図８】図１に示す図書館向け電子書籍管理および情報共有システムの第１の書き込み評価データベース及び第２の書き込み評価データベースに記憶されるデータ構造の概略を示す図である。
【図９】本発明の図書館向け電子書籍管理および情報共有システムの行う貸し出し処理の概要を示すフローチャートである。
【図１０】本発明の図書館向け電子書籍管理および情報共有システムの行う返却処理の概要を示すフローチャートである。
【図１１】本発明の図書館向け電子書籍管理および情報共有システムの行う閲覧・書き込み処理の概要を示すフローチャートである。
【図１２】本発明の図書館向け電子書籍管理および情報共有システムの行う書き込み評価処理の概要を示すフローチャートである。
【図１３】本発明の図書館向け電子書籍管理および情報共有システムの貸し出し処理時における動作を示すシーケンス図である。
【図１４】本発明の図書館向け電子書籍管理および情報共有システムの返却処理時における動作を示すシーケンス図である。
【図１５】本発明の図書館向け電子書籍管理および情報共有システムの閲覧・書き込み処理時における動作を示すシーケンス図である。
【図１６】本発明の図書館向け電子書籍管理および情報共有システムの書き込み評価処理時における動作を示すシーケンス図である。
【発明を実施するための形態】
【００１１】
以下、図面を参照しながら、本発明を適用した図書館向け電子書籍管理および情報共有システムを実施するための最良の形態を詳細に説明する。なお、同一の構成要素については、同一の参照番号を付し、説明を省略する。また、本発明の図書館向け電子書籍管理および情報共有システムは、コンピュータを利用することで実現するものであり、各手段又は処理は、コンピュータのＣＰＵが必要なプログラムを読み込んで実行することにより実現される手段又は処理である。さらに、ユーザによる端末の操作は、端末本体に付属する入力手段であるキーボード、タッチパネル、ボタンやリモコンなど、任意の入力手段を用いてよい。
【００１２】
図１は、本発明の図書館向け電子書籍管理および情報共有システムの一実施の形態の概略を示すシステム構成図である。図に示すように、図書館向け電子書籍管理および情報共有システムは、ホストシステム１０１と閲覧・入力システム１１６とから構成されており、通信ネットワークを介して接続されている。
【００１３】
ホストシステム１０１は、貸し出し処理を行う貸し出し処理部１０２と、返却処理を行う返却処理部１０３と、ユーザが操作する操作画面を表示する表示処理部１０４と、ホストシステム１０１と閲覧・入力システム１１６との間の通信を行いかつ外部との通信を可能とする通信部１０５と、所蔵する電子書籍の書籍情報の登録・変更・削除を行う書籍管理部１０６と、システムの利用者であるユーザのユーザ情報の登録・変更・削除を行うユーザ管理部１０７との各処理部から構成されている。
【００１４】
また、ホストシステム１０１は、書籍情報を予め登録するための第１の書籍データベースと１０１、書き込み情報を登録するための第１の書き込みデータベース１０９と、貸し出し情報を登録するための第１の貸し出しデータベース１１０と、書籍評価情報を登録するための第１の書籍評価データベース１１２と、書き込み評価情報を登録するための第１の書き込み評価データベース１１３とを備えている。さらに、第１の書籍データベース１０１の書籍データを格納するための書籍データ格納部１１４と、第１の書き込み評価データベース１１３の書き込みデータを格納するための書き込みデータ格納部１１５を備えている。
【００１５】
閲覧・入力システム１１６は、ホストシステム１０１から送信された情報を取得して貸し出し処理を行う貸し出し処理部１１７と、ユーザが登録した書き込み情報と評価情報とをホストシステム１０１へ送信する返却処理を行う返却処理部１１８と、ユーザが操作する操作画面を表示する表示処理部１１９と、ホストシステム１０１と閲覧・入力システム１１６との間の通信を行いかつ外部との通信を可能とする通信部１２０と、ユーザが電子図書に対する感想や図等の操作入力をするための処理を行う書き込み処理部１２１と、ユーザの電子書籍に対する書籍評価情報や書き込みへの評価情報の検索及び登録を行う評価処理部１２２との各処理部から構成されている。
【００１６】
また、閲覧・入力システム１１６は、書籍情報を登録するための第２の書籍データベース１２３と、書き込み情報を登録するための第２の書き込みデータベース１２４と、貸し出し情報を登録するための第２の貸し出しデータベース１２５と、書籍評価情報を登録するための第２の書籍評価データベース１２６と、書き込み情報を登録するための第２の書き込み評価データベース１２７とを備える。さらに、第２の書籍データベース１２３の書籍データを格納するための書籍データ格納部１２９と、第２の書き込み評価データベース１２４の書き込みデータを格納するための書き込みデータ格納部１２９とを備えている。
【００１７】
ここで、ホストシステム１０１と、閲覧・入力システム１１６とは、それぞれのシステムが備える通信部１０５と通信部１２０とを介して通信可能に接続されており、少なくとも貸し出し処理部１０２と返却処理部１０３との何れかの処理部で処理が実行された場合、データの通信が行われる。この通信により１つの電子書籍の書き込み情報及び書き込み評価情報が双方のシステムに共有される。
【００１８】
図２は、本発明の図書館向け電子書籍及び自由記述内容共有システムの一実施の形態の装置構成図である。図に示すように、ユーザは貸し出し装置２０２からサーバ２０１にアクセスし、書籍情報を貸し出し端末２０３に格納する。書き込みは貸し出し端末２０３から行い、返却時に貸し出し装置２０２からサーバ２０１に送信する。
【００１９】
図３は、図１に示す図書館向け電子書籍管理および情報共有システムの第１の書籍データベース１０８及び第２の書籍データベース１２３に記憶されるデータ構造の概略を示す図である。第１の書籍データベース１０８と第２の書籍データベース１２３とは、同様のデータ構造を有している。図に示すように、第１の書籍データベース１０８と第２の書籍データベース１２３とは、図書館等の施設が所有する電子書籍の基本情報を書籍情報として格納するデータベースであり、少なくとも、書籍ＩＤＤ１０１と、タイトルＤ１０２と、著者Ｄ１０２と、書籍格納情報Ｄ１０４とから構成される。書籍ＩＤＤ１０１には書籍毎に設定された識別符号が登録され、タイトルＤ１０２には電子書籍のタイトルが登録され、著者Ｄ１０２には電子書籍の著者が登録される。また、書籍格納情報Ｄ１０４には、電子書籍の書籍データの格納情報が登録される。
【００２０】
ここで、それぞれの登録に用いられる識別符号とは、例えば「ＳＳ１１１１」、「１２３４５６７８９」、「Ｓ−１２３−Ａ００１」のように数字又はアルファベット又は記号等で構成された符号であり、重複しないように設定する必要がある。これを用いることで、それぞれの情報を個別に識別することが可能となる。
【００２１】
図４は、図１に示す図書館向け電子書籍管理および情報共有システムの第１の書き込みデータベース１０９及び第２の書き込みデータベース１２４に記憶されるデータ構造の概略を示す図である。第１の書き込みデータベース１０９と第２の書き込みデータベース１２４とは、同様のデータ構造を有している。図に示すように、第１の書き込みデータベース１０９及び第２の書き込みデータベース１２４は、ユーザが入力した電子書籍に対する書き込み情報を格納するためのデータベースであり、少なくとも書き込みＩＤＤ２０１と、書籍ＩＤＤ２０２と、更新日時Ｄ２０３と、書き込み格納情報Ｄ２０４とから構成される。書き込みＩＤＤ２０１には書き込み情報毎に設定された識別符号が登録され、書籍ＩＤＤ２０２には書籍毎に設定された識別符号が登録され、更新日時Ｄ２０３には対応する書き込み情報がユーザにより更新された日時が登録される。また、書き込み格納情報Ｄ２０４には、電子書籍の書き込みデータの格納情報が登録される。
【００２２】
図５は、図１に示す図書館向け電子書籍管理および情報共有システムの第１の貸し出しデータベース１１０及び第２の貸し出しデータベース１２５に記憶されるデータ構造の概略を示す図である。第１の貸し出しデータベース１１０と第２の貸し出しデータベース１２５とは、同様のデータ構造を有している。図に示すように、第１の貸し出しデータベース１１０と第２の貸し出しデータベース１２５とは、電子書籍のユーザへの貸し出し情報を格納するためのデータベースであり、少なくとも貸し出しＩＤＤ３０１と、書籍ＩＤＤ３０２と、ユーザＩＤＤ３０３と、書き込みＩＤＤ３０４と、貸し出し日時Ｄ３０５と、返却日時Ｄ３０６とから構成される。貸し出しＩＤＤ３０１には貸し出し情報毎に設定された識別符号が登録され、書籍ＩＤＤ３０２には書籍情報毎に設定された識別符号が登録され、ユーザＩＤＤ３０３にはユーザ毎に設定された識別符号が登録され、書き込みＩＤＤ３０４には書き込み情報毎に設定された識別符号が登録される。また、貸し出し日時Ｄ３０５にはユーザに電子書籍を貸し出した日時が登録され、返却日時Ｄ３０６にはユーザが電子書籍を返却した日時が登録される。
【００２３】
図６は、図１に示す図書館向け電子書籍管理および情報共有システムのユーザデータベース１１１に記憶されるデータ構造の概略を示す図である。図に示すように、ユーザデータベース１１１は、利用者であるユーザの情報を格納するデータベースであり、少なくともユーザＩＤＤ４０１と、ユーザ名Ｄ４０２と、住所Ｄ４０３と、生年月日Ｄ４０４と、登録日時Ｄ４０５とから構成される。ユーザＩＤＤ４０１には、ユーザ情報毎に設定された識別符号が登録され、ユーザ名Ｄ４０２にはユーザの氏名が登録され、住所Ｄ４０３にはユーザの住所が登録され、生年月日Ｄ４０４にはユーザの生年月日が登録され、登録日時Ｄ４０５には利用者がユーザ情報を登録した日時が登録される。
【００２４】
図７は、図１に示す図書館向け電子書籍管理および情報共有システムの第１の書籍評価データベース１１２及び第２の書籍評価データベース１２６に記憶されるデータ構造の概略を示す図である。第１の書籍評価データベース１１２と第２の書籍評価データベース１２６とは、同様のデータ構造を有している。図に示すように、第１の書籍評価データベース１１２と第２の書籍評価データベース１２６とは、電子書籍に対するユーザの書籍評価情報を格納するためのデータベースであり、少なくとも書籍評価ＩＤＤ５０１と、書籍ＩＤＤ５０２と、ユーザＩＤＤ５０３と、登録日時Ｄ５０４と、評価内容Ｄ５０５とから構成される。書籍評価ＩＤＤ５０１には書籍評価情報毎に設定された識別符号が登録され、書籍ＩＤＤ５０２には書籍毎に設定された識別符号が登録され、ユーザＩＤＤ５０３にはユーザ毎に設定された識別符号が登録される。また、登録日時Ｄ５０４にはユーザが書籍評価情報を登録した日時が登録され、評価内容Ｄ５０５にはユーザが入力した電子書籍に対する評価の内容が登録される。
【００２５】
図８は、図１に示す図書館向け電子書籍管理および情報共有システムの第１の書き込み評価データベース１１３及び第２の書き込み評価データベース１２７に記憶されるデータ構造の概略を示す図である。第１の書き込み評価データベース１１３と第２の書き込み評価データベース１２７とは、同様のデータ構造を有している。図に示すように、第１の書き込みデータベース１１３と第２の書き込みデータベース１２７とは、ユーザが他のユーザの書き込み情報に対する評価を書き込みの評価情報として格納するためのデータベースであり、少なくとも書き込み評価ＩＤＤ６０１と、書き込みＩＤＤ６０２と、ユーザＩＤＤ６０３と、登録日時Ｄ６０４と、評価内容Ｄ６０５とから構成される。書き込み評価ＩＤＤ６０１には書き込み評価情報毎に設定された識別符号が登録され、書き込みＩＤＤ６０２には書き込み情報毎に設定された識別符号が登録され、ユーザＩＤＤ６０３にはユーザ毎に設定された識別符号が登録される。また、登録日時Ｄ６０４にはユーザが書き込み評価情報を登録した日時が登録され、評価内容Ｄ６０５にはユーザの書き込みに対する評価の内容が登録される。
【００２６】
次に、図を参照し、本発明の図書館向け電子書籍管理および情報共有システムの行う各処理の概要について説明する。
【００２７】
図９は、本発明の図書館向け電子書籍管理および情報共有システムの行う貸し出し処理の概要を示すフローチャートである。本システムにおける電子書籍の貸し出し処理時、ユーザは、まず借りる電子書籍を貸し出し装置２０２より選択し（ＳＴ１０１）ホストシステム１０１に書籍貸し出し要求をする。電子書籍には、それぞれに対応する書き込み情報が存在する。書き込み情報は、図書館等の施設が電子書籍に対して保有する貸し出し権限数と同数だけ存在する。
【００２８】
次に、ユーザはこの書き込み情報の中から１件を選択し、書き込み情報の編集権限を取得する（ＳＴ１０２）。但し、すでに他ユーザが図書館等の施設が保有する編集権限を全て取得している書き込み情報に対しては権限取得不可である。ユーザが操作する貸し出し装置への操作画面は、ホストシステム１０１の表示処理部１０４により提供される。これらをユーザが選択すると、ホストシステム１０１の貸し出し処理部１０２はユーザの選択内容に対応する情報を、第１の書籍データベース１０８と第１の書籍データ格納部１１４とから書籍情報を取得し（ＳＴ１０３）、第１の書き込みデータベース１０９と第１の書き込みデータ格納部１１５とから書き込み情報を取得し（ＳＴ１０４）、第１の書籍評価データベース１１２から書籍評価情報を取得し（ＳＴ１０５）、第１の書き込み評価データベース１１３から書き込み評価情報を取得（ＳＴ１０６）する。そして、取得した各情報と貸し出し日時Ｄ３０５と返却日時Ｄ３０６とを、貸し出しＩＤＤ３０１と対応付けて第１の貸し出しデータベース１１０に登録（ＳＴ１０７）する。このとき、返却日時Ｄ３０６には情報は登録されず空欄となる。
【００２９】
その後、取得した各情報と貸し出し情報とをホストシステム１０１の通信部１０５を通して貸し出し端末２０３に送信し（ＳＴ１０８）、処理を終了する。なお、編集権限を取得する書き込み情報は１件のみだが、電子書籍に関連付けられた他の書き込み情報も閲覧のみ可の情報として取得され、他の情報と共に送信される。
【００３０】
図１０は、本発明の図書館向け電子書籍管理および情報共有システムの行う返却処理の概要を示すフローチャートである。本システムにおける電子書籍の返却処理時、ユーザは、まず返却する書籍を貸し出し装置２０２より選択し（ＳＴ２０１）書籍返却要求をホストシステム１０１にする。ユーザが操作する貸し出し装置への操作画面は、ホストシステム１０１の表示処理部１０４により提供される。ユーザが返却する電子書籍を選択し、書籍返却要求を受信するとホストシステム１０１の返却処理部１０３は通信部１０５を介してユーザの選択内容に対応する情報を、貸し出し端末２０３から貸し出し情報と書き込み情報と書籍評価情報と書き込み評価情報とを取得し（ＳＴ２０２〜ＳＴ２０５）。そして、ホストシステム１０１は、取得した貸し出し情報に基づいて、対応する第１の貸し出しデータベース１１０を更新登録（ＳＴ２０６）する。さらに、ユーザによる書き込みや各評価が行われていた際には、これらの情報に基づいて対応するデータベースとデータ格納部が更新登録され（ＳＴ２０８〜ＳＴ２１２）、処理が終了する。
【００３１】
図１１は、本発明の図書館向け電子書籍管理および情報共有システムの行う閲覧・書き込み処理の概要を示すフローチャートである。閲覧・書き込み処理は、本システムの閲覧・入力システム１１６で行われる。閲覧・書き込み処理時、貸し出し端末２０３より、ユーザはまず対象となる書籍を選択する（ＳＴ３０１）。次に、ユーザは閲覧・入力を行う書き込み情報を選択し、書き込み要求をする。なお、書き込み情報は非表示も選択可である。ユーザが操作する貸し出し端末への操作画面は、閲覧・入力システム１１６の表示処理部１１９により提供される。ユーザが書籍と書き込み情報とを選択すると、第２の書籍データベース１２３と第２の書き込みデータベース１２４とから対応する書籍情報と書き込み情報を取得する。そして、表示処理部１１９は選択内容に対応する情報を取得し画面に表示する（ＳＴ３０３）。このとき、取得された書籍情報と書き込み情報に基づいて第２の貸し出しデータベースを参照し、選択した書き込み情報に対し編集権限があるか否かを判断する（ＳＴ３０４）。
【００３２】
判断の結果、編集権限がある場合は、書籍情報と書き込み情報とを表示処理部１１９を介して書き込み情報に対する編集を行う操作入力を許可する編集可能モードで貸し出し端末２０３に表示する（ＳＴ３０６）。ユーザが感想・図等を書き込むと（ＳＴ３０７）、その情報は書き込み処理部１２１により対応する第２の書き込みデータベースに更新登録され、（ＳＴ３０８）処理が終了する。また、判断の結果、編集権限がない場合は、編集不可モードで書き込み情報が貸し出し端末に表示され（ＳＴ３０５）、処理が終了する。
【００３３】
図１２は、本発明の図書館向け電子書籍管理および情報共有システムの行う書き込み評価処理の概要を示すフローチャートである。書き込み評価処理は、本システムの閲覧・入力システム１１６で行われる。書き込み評価処理時、ユーザはまず対象となる書籍を貸し出し端末２０３で選択する（ＳＴ４０１）。次に、ユーザは評価する書き込み情報を選択する（ＳＴ４０２）。ここで、ユーザが操作する貸し出し端末への操作画面は、閲覧・入力システム１１６の表示処理部１１９により提供される。ユーザが書籍と書き込み情報とを選択すると、表示処理部１１９は選択内容に対応する書き込み情報の評価画面を貸し出し端末２０３に表示する（ＳＴ４０３）。ユーザが書き込み情報の評価情報を入力すると（ＳＴ４０４）、その入力された情報が閲覧・入力システム１１６の評価処理部１２２により第２の書き込み評価データベース１２６に登録され（ＳＴ４０５）、処理が終了する。
【００３４】
なお、ユーザが電子書籍の評価を行う書籍評価処理の場合は、前記書き込み評価処理と処理過程はほぼ同一であるので、図と詳細な説明は省略する。前記書き込み処理時の処理過程での違いは、ＳＴ４０２で書き込み情報の選択を行わないことと、ＳＴ４０５で登録されるデータベースが閲覧・入力システム１１６の第２の書籍評価データベース１２６となる点である。
【００３５】
図１３は、本発明の図書館向け電子書籍管理および情報共有システムの貸し出し処理時における動作を示すシーケンス図である。図１３において、先ず、ユーザ２０４が貸し出し装置２０２から書籍を検索すると（ＳＫ１０５）、書籍の検索情報に基づいて、サーバ２０１で第１の書籍データベース１０８の検索処理が実行され（ＳＫ１０７）、第１の書き込みデータベース１０９の検索処理が実行され（ＳＫ１０８）、第１の書籍評価データベース１１２の検索処理が実行され（ＳＫ１０９）、第１の書き込み評価データベース１１３の検索処理が実行さる（ＳＫ１１０）。そして、各データベースの検索の結果がサーバ２０１より貸し出し装置２０２に返却され（ＳＫ１１１）、返却された検索結果が貸し出し装置２０２に表示される（ＳＫ１１２）。ユーザ２０４がこの表示された検索結果の中から借りる書籍情報と書き込み情報とを選択し（ＳＫ１１３）、書籍貸し出し要求をサーバ２０１が受信すると（ＳＴ１１４）、要求のあった書籍情報に対応する情報が第１の書籍データベース１０８から取得され（ＳＴ１１５）、第１の書き込みデータベース１０９から取得され（ＳＴ１１６）、第１の書籍評価データベース１１２から取得され（ＳＴ１１７）、第１の書き込み評価データベース１１３から取得される（ＳＫ１１８）。そして、取得された情報は、サーバ２０１から貸し出し装置２０２へ送信され（ＳＫ１１９）、貸し出し装置２０２から貸し出し端末２０３送信され（ＳＫ１２０）。その後、貸し出し端末２０３から貸し出し処理の完了情報が貸し出し装置２０２へ送信され（ＳＫ１２１）、貸し出し処理の完了情報が貸し出し装置２０２に表示される（ＳＫ１２２）。
【００３６】
図１４は、本発明の図書館向け電子書籍管理および情報共有システムの返却処理時における動作を示すシーケンス図である。図１４において、ユーザ２０４が貸し出し装置２０２から返却書籍を選択すると（ＳＫ２０５）、書籍返却要求が送信され（ＳＫ２０６）、貸し出し端末２０３は貸し出し装置２０２に、書籍返却要求に含まれる情報に基づいて対応する貸し出し情報と書き込み情報と書籍情報と書き込み評価情報とを取得し貸し出し装置２０２に送信する（ＳＫ２０６〜ＳＫ２１３）。さらに、貸し出し装置２０２からサーバ２０１に取得された各情報が送信され（ＳＫ２１４〜ＳＫ２１７）、受信された各情報に基づいてホストシステム１０１の対応する、第１の貸し出しデータベース１１０が更新され（ＳＫ２１８）、第１の書き込みデータベース１０９及び第１の書き込みデータ格納部１１５が更新され（ＳＫ２１９）、第１の書籍評価データベース１１２が更新され（ＳＫ２２０）、第１の書き込み評価データベース１１３が更新される（ＳＫ２２１）。その後、返却処理の完了情報がサーバ２０１より貸し出し装置２０２へ送信され（ＳＫ２２２）、貸し出し装置２０２に返却処理の完了情報が表示される（ＳＫ２２３）。
【００３７】
図１５は、本発明の図書館向け電子書籍管理および情報共有システムの閲覧・書き込み処理時における動作を示すシーケンス図である。図１５において、ユーザ２０４が閲覧・入力モードで書籍を検索すると（ＳＫ３０３）、貸し出し端末２０３は、閲覧・入力システムの各データベースの検索を実行し（ＳＫ３０４〜ＳＫ３０７）、検索の結果が貸し出し端末２０３に表示される（ＳＫ３０８）。ユーザ２０４が表示された情報の中から閲覧・入力する書籍情報と書き込み情報とを選択し、書き込み要求が貸し出し端末２０３に送信されると（ＳＫ３０９、ＳＫ３１０）、貸し出し端末２０３は書き込み要に含まれる情報に基づいて、閲覧・入力システム１１６各データベースを参照し、対応する情報を取得する。第２の書籍データベース１２３から書籍情報を取得し（ＳＫ３１１）、第２の書き込みデータベース１２４から書き込み情報を取得する（ＳＫ３１２）。取得された書籍情報は貸し出し端末２０３に表示される（ＳＫ３１３）。このとき、書籍情報と共に取得された書き込み情報も貸し出し端末２０３に表示されるが、取得された書き込み情報にユーザ２０４が編集権限があるか否かを判断し、判断の結果、編集権限がある書き込み情報なら編集可能モードで書き込み情報が表示され編集権限が無ければ編集不可モードで書き込み情報が表示される（ＳＫ３１４）。編集権限がある場合、ユーザ２０４が書き込み情報を入力すると（ＳＫ３１５）、閲覧・入力システム１１６の入力された書き込み情報に基づいて対応する第２の書き込みデータベース１２４とそれに対応する第２の書き込みデータ格納部１２９が更新され（ＳＫ３１６）、情報の更新が完了後、閲覧・書き込み処理の完了情報が貸し出し端末２０３に表示される（ＳＫ３１７）。
【００３８】
図１６は、本発明の図書館向け電子書籍管理および情報共有システムの書き込み評価処理時における動作を示すシーケンス図である。図１６において、ユーザ２０４が評価モードで書籍を検索すると（ＳＫ４０３）、貸し出し端末２０３は、閲覧・入力システムの各データベースの検索を実行し（ＳＫ４０４〜ＳＫ４０７）、検索の結果が貸し出し端末２０３に表示される（ＳＫ４０８）。ユーザ２０４が表示された情報の中から評価する書籍情報と書き込み情報とを選択し、選択された情報が貸し出し端末２０３に送信されると（ＳＫ４０９、ＳＫ４１０）、送信された情報に基づいて貸し出し端末２０３は、閲覧・入力システム１１６の第２の書き込み評価データベース１２４の書き込み評価情報を取得する（ＳＫ４１１）。取得された書き込み評価情報は貸し出し端末２０３に、書き込み情報の書き込み評価画面で表示される（ＳＫ４１２）。ユーザ２０４が書き込み評価を入力すると（ＳＫ４１３）、入力された書き込み評価に基づいて、書き込み評価情報として第２の書き込み評価データベースが更新登録され（ＳＫ４１４）、情報の更新が完了後、書き込み評価処理の完了情報が貸し出し端末２０３に表示される（ＳＫ４１５）。
【００３９】
なお、ユーザ２０４が電子書籍の評価を行う場合は、前記書き込み評価処理と処理過程は同一であるので、図と詳細名説明は省略する。前記書き込み処理時の処理過程での違いは、ＳＫ４０９、ＳＫ４１０で書き込み情報の選択を行わないことと、ＳＫ４１４で登録されるデータベースが閲覧・入力システム１１６の第２の書籍評価データベース１２６となる点である。
【符号の説明】
【００４０】
１０１  ホストシステム  
１０２、１１７  貸し出し処理部
１０３、１１８  返却処理部  
１０４、１１９  表示処理部
１０５、１２０  通信部
１０６  書籍管理部
１０７  ユーザ管理部
１０８  第１の書籍データベース  
１０９  第１の書き込みデータベース
１１０  第１の貸し出しデータベース
１１１  ユーザデータベース  
１１２  第１の書籍評価データベース
１１３  第１の書き込み評価データベース
１１４  第１の書籍データ格納部
１１５  第１の書き込みデータ格納部
１１６  閲覧・入力システム
１２１  書き込み処理部
１２２  評価処理部
１２３  第２の書籍データベース  
１２４  第２の書き込みデータベース
１２５  第２の貸し出しデータベース
１２６  第２の書籍評価データベース
１２７  第２の書き込み評価データベース
１２８  第２の書籍データ格納部
１２９  第２の書き込みデータ格納部
１３０  ネットワーク
２０１  サーバ
２０２  貸し出し装置
２０３  貸し出し端末
２０４  ユーザ
【図１】
2013092824.tif 000003
【図２】
2013092824.tif 000004
【図３】
2013092824.tif 000005
【図４】
2013092824.tif 000006
【図５】
2013092824.tif 000007
【図６】
2013092824.tif 000008
【図７】
2013092824.tif 000009
【図８】
2013092824.tif 000010
【図９】
2013092824.tif 000011
【図１０】
2013092824.tif 000012
【図１１】
2013092824.tif 000013
【図１２】
2013092824.tif 000014
【図１３】
2013092824.tif 000015
【図１４】
2013092824.tif 000016
【図１５】
2013092824.tif 000017
【図１６】
2013092824.tif 000018